(57)【要約】【課題】従来の巻き付き防止構造に比べて著しく構造を簡素化できるにもかかわらず、髪がモーターの出力軸に絡みつくのを確実に防止して、全体装置を小形化し低コスト化できる送風装置を提供する。【解決手段】吸込口１６と吹出口１７を備えた本体ケース１の内部に、送風ファン１２と、ファン駆動用のモーター１３と、モーターホルダー２０を配置する。モーターホルダー２０は、モーター１３が装着されるホルダー筒２２と、ホルダー筒２２の周囲を囲む円筒状の整流筒２３とを設ける。ホルダー筒２２と整流筒２３との間に髪捕捉部３１を設ける。髪捕捉部３１の前後端を開口して、乾燥風の一部が髪捕捉部３１を通過できるようにし、その出口寄りに髪受体３２を設ける。【選択図】図１
2008079735.tif 000002
【特許請求の範囲】
【請求項１】
吸込口（１６）と吹出口（１７）を備えた本体ケース（１）の内部に、送風ファン（１２）と、送風ファン（１２）を回転駆動するモーター（１３）と、モーター（１３）を支持するモーターホルダー（２０）が配置されており、
モーターホルダー（２０）は、モーター（１３）が装着されるホルダー筒（２２）と、ホルダー筒（２２）の周囲を囲む円筒状の整流筒（２３）とを一体に備えており、
ホルダー筒（２２）と整流筒（２３）との間に、送風ファン（１２）と整流筒（２３）との対向隙間の外縁から侵入する髪を受け入れる髪捕捉部（３１）が、送風ファン（１２）の側へ向かって開口する状態で形成してある送風装置。
【請求項２】
ファンボス（１２ｂ）の周縁直径と整流筒（２３）の直径とがほぼ同じに設定されており、
髪捕捉部（３１）がファンボス（１２ｂ）へ向かって開口してある請求項１記載の送風装置。
【請求項３】
髪捕捉部（３１）の前後端が開口されていて、送風ファン（１２）から送出される乾燥風の一部が髪捕捉部（３１）を通過でき、
ホルダー筒（２２）と整流筒（２３）とが、髪捕捉部（３１）の出口寄りに設けた髪受体（３２）を介して繋がっている請求項１または２記載の送風装置。
【請求項４】
ホルダー筒（２２）および整流筒（２３）と、送風ファン（１２）のファンボス（１２ｂ）との対向面に、送風ファン（１２）とホルダー筒（２２）との対向隙間の外縁から侵入する髪の移動を阻止する遮蔽体（３３）が突設してある請求項２または３記載の送風装置。
【請求項５】
送風ファン（１２）のファンボス（１２ｂ）に内凹み状のボス空間（Ｐ）が形成されており、
ボス空間（Ｐ）と対向するホルダー筒（２２）の端壁に、ボス空間（Ｐ）に入り込む遮蔽壁（３３）が円筒状に突設してある請求項４記載の送風装置。
【請求項６】
モーターホルダー（２０）に隣接してヒーターユニット（１４）が配置されており、
ヒーターユニット（１４）を構成する絶縁板（３７）の後端に係合爪（４４）が設けられており、
髪受体（３２）に前記係合爪（４４）を差し込み係合する連結溝（４５）が形成してある請求項３、４または５記載の送風装置。
【請求項７】
髪受体（３２）が径方向の第１リブ（３２ａ）と、軸方向の第２リブ（３２ｂ）とで構成されており、
整流筒（２３）またはホルダー筒（２２）と第２リブ（３２ｂ）との間に、髪受凹部（３４）が形成してある請求項３から６のいずれかに記載の送風装置。
【発明の詳細な説明】
【技術分野】
【０００１】
本発明は、巻き付き防止構造を備えているヘアードライヤーなどの送風装置に関する。巻き付き防止構造とは、ファン駆動用のモーターの出力軸に髪が絡みつくのを防止するための構造である。
【背景技術】
【０００２】
一般的なヘアードライヤーにおいては、送風ファンの送風効率を高めるために、吸込口を通風抵抗が小さなパンチングメタル製の吸込グリルで覆うが、この種の吸込グリルでは、髪が本体ケース内へ吸い込まれるのを防止できない。本体ケース内に吸い込まれた髪の一部は、ファンボスとモーターホルダーの対向隙間に入り込み、ファン駆動用のモーターの出力軸に絡みついてモーターの回転抵抗を増加させる。最悪の場合には大量の髪が出力軸に絡みついてモーターを回転不能な状況に陥らせ、モーターが焼き付くこともある。
【０００３】
特許文献１のヘアードライヤーのように、吸込口に高度なろ過機能を備えたフィルターを設けると、髪が本体ケースに吸い込まれるのを確実に阻止でき、モーター出力軸への髪の絡みつきを確実に防止できる。しかし、この種のフィルターは、ろ過機能が高い分だけ早期に目詰まりしやすく、頻繁にフィルターの清掃や交換を行う必要がありメンテナンスに手間が掛かる。フィルターのろ過機能が高い分だけ通風抵抗が大きく、その分だけ送風ファンの送風効率が低下するのを避けられない。フィルター構造の分だけヘアードライヤー大形化する不利もある。
【０００４】
髪が本体ケースに吸い込まれるのを前提として、送風ファンの前段に巻き付き防止構造を設けたヘアードライヤーが公知である（特許文献２参照）。そこでは、本体ケースの吸込グリルと送風ファンとの間に遊転自在な羽根車を配置しておき、送風ファンの吸い込み空気の流動作用によって羽根車を回転させ、本体ケース内へ吸い込まれた髪を羽根車、あるいは羽根車を支持する空転軸に絡ませて、髪が送風ファンにまで到達するのを防止している。また、吸込口グリルとは別に、羽根車と送風ファンとの間にも吸込グリルを設けている。
【０００５】
【特許文献１】特開２００６−６８１８７号公報（段落番号００５２、図１）
【特許文献２】実開平５−８８４０４号公報（段落番号０００９、図１）
【発明の開示】
【発明が解決しようとする課題】
【０００６】
巻き付き防止構造を備えている特許文献２のヘアードライヤーによれば、吸い込み空気と一緒に吸い込まれた髪を羽根車あるいは空転軸に絡ませて、髪が送風ファンに到達するのを防止できる。しかし、送風ファンの前段に羽根車を配置する分だけ本体ケースが大形化するのを避けられない。さらに、羽根車、空転軸、および送風ファン用の吸込グリルなどを設ける分だけ送風装置の構造が複雑化し、コストが嵩む不利もある。
【０００７】
本発明の目的は、送風ファンから送出される乾燥風の流動作用を利用して髪を捕捉できる巻き付き防止構造を備えた送風装置を提供することにある。本発明の目的は、従来の巻き付き防止構造に比べて著しく構造を簡素化できるにもかかわらず、髪がモーターの出力軸に絡みつくのを確実に防止して、巻き付き防止構造の構造を簡素化できる分だけ低コスト化でき、同時に全体装置を小形化できる送風装置を提供することにある。
【課題を解決するための手段】
【０００８】
本発明の送風装置は、吸込口１６と吹出口１７を備えた本体ケース１の内部に、送風ファン１２と、送風ファン１２を回転駆動するモーター１３と、モーター１３を支持するモーターホルダー２０が配置してある。モーターホルダー２０は、モーター１３が装着されるホルダー筒２２と、ホルダー筒２２の周囲を囲む円筒状の整流筒２３とを一体に備えている。ホルダー筒２２と整流筒２３との間に、送風ファン１２と整流筒２３との対向隙間の外縁から侵入する髪を受け入れる髪捕捉部３１を形成する。髪捕捉部３１は送風ファン１２の側へ向かって開口する状態で形成する。
【０００９】
ファンボス１２ｂの周縁直径と整流筒２３の直径とをほぼ同じに設定し、髪捕捉部３１をファンボス１２ｂへ向かって開口させる。
【００１０】
髪捕捉部３１の前後端を開口して、送風ファン１２から送出される乾燥風の一部が髪捕捉部３１を通過できるようにする。ホルダー筒２２と整流筒２３とは、髪捕捉部３１の出口寄りに設けた髪受体３２を介して繋がっている。
【００１１】
ホルダー筒２２および整流筒２３と、送風ファン１２のファンボス１２ｂとの対向面に、送風ファン１２とホルダー筒２２との対向隙間の外縁から侵入する髪の移動を阻止する遮蔽体３３を突設する。
【００１２】
送風ファン１２のファンボス１２ｂに内凹み状のボス空間Ｐを形成し、ボス空間Ｐと対向するホルダー筒２２の端壁に、ボス空間Ｐに入り込む遮蔽壁３３を円筒状に突設する。
【００１３】
モーターホルダー２０に隣接してヒーターユニット１４を配置する。ヒーターユニット１４を構成する絶縁板３７の後端に係合爪４４を設ける。髪受体３２に前記係合爪４４を差し込み係合するための連結溝４５を形成する。
【００１４】
髪受体３２は径方向の第１リブ３２ａと、軸方向の第２リブ３２ｂとで構成して、整流筒２３またはホルダー筒２２と第２リブ３２ｂとの間に、髪受凹部３４を形成する。
【発明の効果】
【００１５】
本発明においては、モーター１３が装着されるホルダー筒２２と、ホルダー筒２２の周囲を囲む円筒状の整流筒２３とをモーターホルダー２０に設け、ホルダー筒２２と整流筒２３との間に形成した髪捕捉部３１を送風ファン１２の側へ向かって開口した。つまり、送風ファン１２と整流筒２３との対向隙間の外縁からモーター１３の出力軸１３ａに至る、髪の侵入経路の途中に髪捕捉部３１を設けて、先の対向隙間に侵入した髪を髪捕捉部３１の内部に移行案内し、それ以上、髪が出力軸１３ａの側へ移動するのを阻止するので、髪がモーター１３の出力軸１３ａに絡みつくのを防止できる。また、ホルダー筒２２の周囲に整流筒２３を付加して、両筒２２・２３の間に髪捕捉部３１を形成するので、従来の巻き付き防止構造に比べて、巻き付き防止構造を著しく簡素化できる分だけ送風装置を低コスト化できるうえ、全体装置を小形化できる。
【００１６】
ファンボス１２ｂの周縁直径と整流筒２３の直径とをほぼ同じに設定同じに設定して、両者１２ｂ・２３を段差のない状態で隣接させると、ファンブレード１２ａで押し出された乾燥風を整流筒２３の周面に沿って流動させて、ファンブレード１２ａの前端周縁の近傍に渦が生じるのを避けながら乾燥風の流れを整えることができる。さらに、整流筒２３の外面に整流翼２４が設けてある場合には、整流筒２３分だけ整流翼２４の径方向長さを短くして、整流翼２４のびびり騒音（振動）を抑止することができる。
【００１７】
髪捕捉部３１の前後端を開口して、送風ファン１２から送出される乾燥風の一部が髪捕捉部３１を通過できるようにしてあると、送風ファン１２と整流筒２３との対向隙間の外縁から侵入した髪を、乾燥風とともに髪捕捉部３１の内部へ強制的に流動させて、それ以上髪が出力軸１３ａの側へ移動するのをさらに確実に阻止でき、したがって、髪がモーター１３の出力軸１３ａに絡みつくのをさらに確実に防止できる。また、髪捕捉部３１に侵入した髪を、ホルダー筒２２と整流筒２３とを繋ぐ髪受体３２で受け止め保持して、髪が乾燥風とともにモーターホルダー２０より下流側へ流されるのを防止できる。これにより、モーターホルダー２０の下流側にヒーターユニット１４が設けてある場合に、髪がヒーターの熱で焼かれて異臭が発生するのを防止できる。
【００１８】
ホルダー筒２２および整流筒２３と、送風ファン１２のファンボス１２ｂとの対向面に、髪の移動を阻止する遮蔽体３３が突設してあると、送風ファン１２とホルダー筒２２との対向隙間の外縁から侵入する髪を遮蔽体３３で受け止めて、それ以上髪が出力軸１３ａの側へ移動するのを確実に阻止できる。とくに、前後端が開口してある髪捕捉部３１において遮蔽体３３を付加すると、遮蔽体３３で受け止めた髪を乾燥風とともに髪捕捉部３１へ強制的に移行できるので、髪が出力軸１３ａに絡みつくのを良く防止できる。
【００１９】
送風ファン１２のファンボス１２ｂに内凹み状のボス空間Ｐを形成し、ボス空間Ｐと対向するホルダー筒２２の端壁に、ボス空間Ｐに入り込む遮蔽壁３３が円筒状に突設してあると、例えばファンボス１２ｂとホルダー筒２２との対向隙間に遮蔽壁３３を設ける場合に比べて、ボス空間Ｐに入り込む分だけ遮蔽壁３３の突出寸法を大きくできるので、髪が遮蔽壁３３を乗越えてモーター１３の出力軸１３ａの側へ移動するのを確実に防止できる。円筒状に形成した遮蔽壁３３によれば、遮蔽壁３３の周面に髪が巻き付くのを防止して、遮蔽壁３３で受け止めた髪を乾燥風とともに髪捕捉部３１へ移行できる。
【００２０】
絶縁板３７の後端に設けた係合爪４４を髪受体３２の連結溝４５に差し込み係合することにより、ヒーターユニット１４とモーターホルダー２０とを連結すると、モーターホルダー２０で絶縁板３７を介してヒーターユニット１４を強固に支持できるので、本体ケース１に組み込んだヒーターユニット１４を確りと固定して、同ユニット１４が通風方向や径方向にがた付くのを確実に防止できる。
【００２１】
径方向の第１リブ３２ａと軸方向の第２リブ３２ｂとで髪受体３２を構成し、整流筒２３またはホルダー筒２２と第２リブ３２ｂとの間に髪受凹部３４を形成すると、髪捕捉部３１を通過する乾燥風によって運ばれてきた髪が髪受凹部３４に堆積することがあったとしても、髪捕捉部３１の全体が堆積した髪で塞がれるのを確実に防止して、第２リブ３２ｂで通気隙間を確保できる。したがって、髪捕捉部３１に入り込んだ乾燥風は、第２リブ３２ｂで確保された隙間を介して髪捕捉部３１を通り抜けることができるので、髪が髪受凹部３４に堆積した状態であっても、整流筒２３と髪捕捉部３１の出口端の近傍に渦が発生するのを確実に防止して、渦に伴う運転騒音を低下できる。
【発明を実施するための最良の形態】
【００２２】
（実施例）  図１ないし図５は本発明をヘアードライヤー（送風装置）に適用した実施例を示す。図２においてヘアードライヤーは、左右に長い中空筒状の本体ケース１と、その前端に着脱自在に装着されるノズル２と、本体ケース１の下面後側に設けたグリップ３とを有する。グリップ３の前面上下には、ヒーターユニット１４への通電状態を切り換えるスイッチボタン４と、モーター１３への通電状態を切り換えて、送風ファン１２の風量を弱風、強風、ターボの順に三段階に切り換えるスイッチノブ５とが設けてある。
【００２３】
図３に示すように本体ケース１は、左右に二分割される主ケース７と、両主ケース７の前端、および後端に外嵌装着される前ケース８、および中間ケース９と、主ケース７の後端に締結固定される後ケース１０などで構成している。主ケース７は、前ケース８、中間ケース９、および後ケース１０の三者によって分離不能に固定保持される。本体ケース１の内部には、軸流型の送風ファン１２と、送風ファン１２を回転駆動するモーター１３と、ヒーターユニット１４と、マイナスイオン発生器１５とが吸込口１６の側から吹出口１７の側へ向かって記載順に配置してある。吸込口１６の外面は、パンチングメタルで形成した部分球面状の吸込グリル１８で覆ってある。
【００２４】
ヒーターユニット１４に隣接して配置したモーターホルダー２０に、送風ファン１２およびモーター１３が組み込んである。図１および図４に示すように、モーターホルダー２０は、送風ファン１２の周囲を囲む円筒状の導風筒２１と、モーター１３が装着されるホルダー筒２２と、ホルダー筒２２の周囲を囲む円筒状の整流筒２３と、導風筒２１と整流筒２３とを放射状に繋ぐ１２個の整流翼２４とを一体に備えている。
【００２５】
モーター１３をホルダー筒２２に筒開口面の側から装着して、ホルダー筒２２の端壁２２ｂにビス２６で締結固定し、筒外面に突出するモーター１３の出力軸１３ａに送風ファン１２の連結ボス１２ｃを圧嵌することにより、送風ファン１２およびモーター１３がモーターホルダー２０と一体化される。この状態の送風ファン１２は、ファンブレード１２ａの先端の回転軌跡が導風筒２１の内面に近接しており、さらにファンボス１２ｂの前面側が小さな隙間をあけて整流筒２３とホルダー筒２２の後端壁に対向している。図３に示すように、モーターホルダー２０を主ケース７の後端に設けた凹部壁２７の内面にあてがい、導風筒２１の外面上下に設けた締結座をビス２８で片方の主ケース７に締結することにより、モーターホルダー２０が主ケース７と一体化される。
【００２６】
整流筒２３の外直径と、送風ファン１２のファンボス１２ｂの周縁直径とは同じに設定して、両者１２ｂ・２３を段差のない状態で隣接させる。これは、ファンブレード１２ａで押し出された乾燥風を整流筒２３の周面に沿って流動させて、ファンブレード１２ａの前端周縁の近傍に渦が生じるのを避けながら乾燥風の流れを整え、さらに整流筒２３を設けた分だけ整流翼２４の径方向長さを短くして、整流翼２４のびびり騒音（振動）を抑止するためである。なお、整流筒２３の外直径とファンボス１２ａの周縁直径とはほぼ同じであってもよい。
【００２７】
吸い込み空気とともに本体ケース１内へ吸い込まれて、送風ファン１２と整流筒２３との対向隙間の外縁から侵入する髪が、モーター１３の出力軸１３ａに絡みつくのを防止するために、モーターホルダー２０を利用して巻き付き防止構造を構成している。具体的には、図１に示すように、整流筒２３とホルダー筒２２との間に前後端が開口する髪捕捉部３１を設けて、送風ファン１２から送出される乾燥風の一部が髪捕捉部３１を通過できるようにし、ファンボス１２ｂと整流筒２３との対向縁の外縁から侵入する髪を、強制的に髪捕捉部３１へ移行案内している。また、髪捕捉部３１の前端側の出口寄りにリブ（髪受体）３２を設け、さらに、ホルダー筒２２の端壁に、送風ファン１２と整流筒２３との対向隙間の外縁から侵入する髪の移動を阻止して、髪捕捉部３１へと移行案内する遮蔽壁（遮蔽体）３３を突設している。
【００２８】
遮蔽体３３はホルダー筒２２の筒壁に連続して突設してあって、その突端がファンボス１２ｂ内面の内凹み状のボス空間Ｐに入り込む状態で円筒状に形成してある。髪捕捉部３１は整流筒２３とホルダー筒２２とで囲まれる円筒状の空間からなり、両筒２２・２３は６個のリブ３２を介して繋がっている（図４参照）。これらのリブ３２間の空間が髪捕捉部３１の出口３５になっている（図１参照）。
【００２９】
図１に示すようにリブ３２は、髪捕捉部３１の出口寄りに設けられて、整流筒２３とホルダー筒２２とを径方向に繋ぐ６個の第１リブ３２ａと、第１リブ３２ａの端部に隣接し、さらにホルダー筒２２の外面に沿って連出される軸方向の第２リブ３２ｂとで構成する。第１リブ３２ａは後述する連結溝４５を形成するために、第２リブ３２ｂよりぶ厚く形成してある。このように、第１リブ３２ａとは別に第２リブ３２ｂを設けることによって、第２リブ３２ｂと整流筒２３と第１リブ３２ａとの三者間に、髪捕捉部３１に吸い込まれた髪を受け止める髪受凹部３４が形成される。
【００３０】
ヒーターユニット１４は、図３および図５に示すように３個の絶縁板３７を＊字状に組み、その周囲にニクロム線３８を螺旋状に巻装し、絶縁板３７の周囲に先すぼまり状の絶縁筒３９と、絶縁筒３９の外面を覆う薄鋼板製の補強筒とを外嵌して構成してある。絶縁板３７の前部中央に、マイナスイオン発生器１５を収容するための前切欠部４１が形成され、絶縁板３７の後部中央には、モーター１３の前部を受け入れる後切欠部４２が形成してある。
【００３１】
ヒーターユニット１４の後切欠部４２の後端に係合爪４４を設け、リブ３２に係合爪４４を差し込み係合するための連結溝４５を設けている。このように、係合爪４４を連結溝４５に係合した状態で絶縁板３９を先のモーターホルダー２０に接合すると、両者２０・３９の接合強度を充分なものとすることができる。モーターホルダー２０とともに主ケース７に組み付けられたヒーターユニット１４の前後は、吹出口１６の内部に固定した吹出グリル４６とモーターホルダー２０とで遊動不能に固定されており、絶縁筒３９の入口端は導風筒２１の出口に段差のない状態で連続している。
【００３２】
中間ケース９は前後面が開口する円筒体からなり、例えば靭性に優れた透明のポリカーボネイトで形成してあって、凹部壁２７に巻装した装飾シート４８をケース外面から視認できる。中間ケース９の内面には、凸レンズからなるレンズ面４９の一群が連続して形成してあり、これにより個々のレンズ面４９ごとに装飾シート４８に印刷された虹彩模様の見え方が異なるようにしてある。レンズ面４９での光の反射作用もあって、ヘアードライヤーを動かすと、装飾シート４８の虹彩模様がきらきらと輝いて見える。
【００３３】
図３において後ケース１０は、内面中央の整流筒５１と、整流筒５１の周囲を囲む外筒壁５２と、外筒壁５２の基端に張出し形成される接合座５３と、接合座の周縁から後ろ向きに連出される短筒壁５４と、短筒壁５４と外筒壁５２とを放射状に繋ぐ一群のリブ５５を一体に備えている。整流筒５１の後端に吸込口１６が開口され、その外面が吸込グリル１８で覆ってある。後ケース１０は、凹部壁２７の後端壁面に４個のビスで締結固定する。
【００３４】
整流筒５１の出口近傍における渦の発生を防止して運転騒音を低下するために、後ケース１０を主ケース７に固定した状態において、整流筒５１と外筒壁５２との間に誘引通路５８を形成し、さらに、外筒壁５２の基端周囲に沿って一群の吸引開口５９を形成している。組み付け状態における整流筒５１の出口端は、モーターホルダー２０の導風筒２１の内部に入り込んで、送風ファン１２のファンブレード１２ａの回転領域に近接させてある。したがって、送風ファン１２を駆動すると、整流筒５１の内部の吸い込み空気の流動作用によるベンチュリー効果によって、ケース外面の空気が吸引空気５９と誘引通路５８を介して導風筒２１内へ引き込まれるので、整流筒５１の出口近傍における渦の発生を防止できる。なお、送風ファン１２の駆動によって吸込口１６から吸い込まれた乾燥風は、整流筒５１、導風筒２１、および絶縁筒３９によって形成された送風路６０（図３参照）に沿って流動し、ケース前端の吹出口１７から吹き出される。
【００３５】
送風ファン１２から送出される乾燥風とともにマイナスイオンを毛髪に送給するために、吹出グリル４６の内面中央に臨む位置にマイナスイオン発生器１５を配置している。マイナスイオン発生器１５は、左右一対の中央電極６１と、リング状の周囲電極６２と、これら両者６１・６２を支持する電極ホルダー６３と、電極ホルダー６３の後端に固定される樹脂モールド６４などで構成する。電極ホルダー６３には、両電極６１・６２を絶縁遮断する左右一対の誘電筒６５が隣接形成してある。
【００３６】
樹脂モールド６４は、整流回路およびパルス発生回路と、パルス発生回路で調整されたパルス電流を昇圧するトランスなどの、イオン発生回路を構成する部品を樹脂中に封入して１個の部品としてまとめたものである。先の中央電極６１と周囲電極６２との間に、イオン発生回路で生成された高電圧を印加することによりコロナ放電を生じさせて、マイナスイオンを生成し放出することができる。マイナスイオン発生器の周囲は円筒状の絶縁筒６７で囲まれている。これにより、絶縁筒６７の周囲を流れる温度の低い乾燥風を、吹出口１６寄りに配置したマイナスイオン発生器１５の周囲を包む状態で流動案内し、マイナスイオン発生器１５から放出されたマイナスイオンと混ざり合った状態で吹出口１６から送出することができる。
【００３７】
組み付け状態における送風ファン１２の周囲は、モーターホルダー２０の導風筒２１と、凹部壁２７と、中間ケース９とで三重に囲まれて、中間ケース９の筒壁と凹部壁２７の筒壁との間に、外部衝撃を吸収する緩衝空間Ｓが形成される。この実施例では、本体ケース１の前後中央付近の厚み寸法を２．５ｍｍとするとき、緩衝空間Ｓの径方向の寸法を５ｍｍとした。このように、緩衝空間Ｓの径方向の寸法が充分に大きく設定してあると、落下衝撃などの強い外力を受けた中間ケース９が内凹み状に変形したとしても、中間ケース９の変形を緩衝空間Ｓで吸収して、それ以上衝撃力が凹部壁２７やモーターホルダー２０に伝わるのを防止できる。
【００３８】
したがって、ファンブレード１２ａの先端の回転軌跡と導風筒２１との隙間が小さく設定してあったとしても、導風筒２１が変形してファンブレード１２ａが傷付くのを確実に防止できる。これにより、ファンブレード１２ａの先端の回転軌跡と導風筒２１との隙間を極力小さくして、送風ファン１２による風切り音の発生を抑止でき、その分だけ送風装置の運転騒音を低下できる。
【００３９】
ヘアードライヤーの使用時には、吸込グリル１８から吸い込まれる乾燥風とともに髪が本体ケース１内へ吸い込まれることがある。ケース内へ吸い込まれた髪の一部は、ファンボス１２ｂと整流筒２３との対向隙間の外縁から侵入する。しかし、ファンボス１２ｂと整流筒２３の対向隙間の外縁と連結ボス１２ｃとの間に髪捕捉部３１を設けるので、両者１２ｂ・２３の対向隙間に侵入した髪は、乾燥風とともに直ちに髪捕捉部３１へと流動し、髪捕捉部３１を通り抜けてしまうか、髪捕捉部３１の出口寄りに設けたリブ３２に引っ掛かって髪受凹部３４に留まるので、髪がモーター１３の出力軸１３ａに絡みつくのを確実に防止できる。また、モーターホルダー２０のホルダー筒２２の周囲に整流筒２３を付加して髪捕捉部３１を形成するので、従来のこの種の構造に比べて巻き付き防止構造を著しく簡素化でき、その分だけヘアードライヤーを低コスト化できる。ヘアードライヤーの全体装置を小形化できる利点もある。
【００４０】
さらに、髪捕捉部３１の内周面（ホルダー筒２２の外周面）に連続して円筒状の遮蔽体３３を設けるので、髪が髪捕捉部３１の入口を横断したとしても直ちに遮蔽体３３で受け止められる。遮蔽体３３で受け止められた髪は、乾燥風とともに髪捕捉部３１へ流動する以外になく、したがって髪が出力軸１３ｃの側へ侵入するのを確実に阻止できる。
【００４１】
髪受凹部３４に堆積した髪は乾燥風の流れをせき止めようとする。しかし、髪受凹部３４に髪が堆積したとしても、乾燥空気は隣接するリブ３２の間の空間を介して流動できるうえ、髪受凹部３４においては第２リブ３２ｂでリブの両側に確保された隙間を介して乾燥風が通り抜けることができる。したがって、髪捕捉部３１を通過する乾燥風が、各髪受凹部３４に堆積した髪でせき止められることはなく、乾燥風の通過によって整流筒２３と髪捕捉部３１の出口端の近傍に渦が発生するのを確実に防止して、その分だけヘアードライヤーの運転騒音を低下できる。髪が髪捕捉部３１に詰まった状態では、乾燥風が髪捕捉部３１を流れることができない。そのため、その後に進入した髪が出力軸１３ａへ向かって移動し絡みつくおそれがあるが、上記のように第２リブ３２ｂによって乾燥風の通過空間が確保してあると、髪が出力軸１３ａの側へ向かって移動するのを規制し、絡まるのを確実に防止できる。
【００４２】
上記の実施例では、ホルダー筒２２と整流筒２３を繋ぐ６個のリブ３２を髪受体として利用したが、髪が髪捕捉部３１を通り抜けるのを防ぐためにリブ３２の数をさらに増やして、髪捕捉部３１を細分化することができる。必要があれば、図６に示すように髪捕捉部３１の出口側にリング状の網目体７０を固定して、髪捕捉部３１に入り込んだ髪の全てを網目体７０で捕捉することができる。なお、網目体７０は、耐熱プラスチック製の網体、金網、パンチングメタル、エキスパンドメタルなどの網体を適用することができる。
【００４３】
図７は髪捕捉部３１および遮蔽体３３の別の実施例を示す。図７（ａ）は、髪捕捉部３１の前端を端壁７２で塞ぎ、ホルダー筒２２の筒壁に髪捕捉部３１と連通する出口３５を切り欠き形成し、出口３５の髪捕捉部３１側の開口面中央にリブ３２を設けるようにした。図７（ｂ）では、先の壁７２に出口３５を一定間隔おきに形成し、整流筒２３の内面に出口３５を周方向へ挟む一群のリブ３２を形成した。図７（ｃ）では、ホルダー筒２２の遮蔽壁３３とは別にファンボス１２ｂにも遮蔽壁３３ａを設け、後者遮蔽壁３３ａの突端を髪捕捉部３１の内部に位置させた。このように、遮蔽壁３３はファンボス１２ｂの側に単独で設けることができる。他は先の実施例と同じであるので、同じ部材に同じ符号を付してその説明を省略する。なお、図７（ａ）・（ｂ）で説明した出口３５はひとつの開口や穴である必要はなくスリット群で形成することができる。
【００４４】
上記の実施例以外に、導風筒２１はモーターホルダー２０と一体に形成してあることが好ましいがその必要はなく、導風筒２１はモーターホルダー２０とは別の部品として形成することができる。遮蔽体３３は円筒壁で形成する必要はなく、ホルダー筒２２の端壁周囲に張り出されるフランジ状の壁や、ホルダー筒２２の端壁に突設される突起群で形成することができる。本発明は、本体ケース１の内部に、少なくとも送風ファン１２とモーター１３とモーターホルダー２０を備えている送風装置の全てに適用することができる。髪捕捉部３１は送風ファン１２と対向する側のみが開口する凹部として形成することができる。
【図面の簡単な説明】
【００４５】
【図１】モーターおよび送風ファンの支持構造を示す断面図である。
【図２】ヘアードライヤーの側面図である。
【図３】ヘアードライヤー要部の縦断側面図である。
【図４】図３におけるＡ−Ａ線断面図である。
【図５】ヒーターユニットの連結構造を示す分解斜視図である。
【図６】本発明の別の実施例を示すモーターホルダーの正面図である。
【図７】髪捕捉部および遮蔽体の別の実施例を示す断面図である。
【符号の説明】
【００４６】
１  本体ケース
１２  送風ファン
１２ｂ  ファンボス
１３  モーター
１４  ヒーターユニット
１６  吸込口
１７  吹出口
２０  モーターホルダー
２２  ホルダー筒
２３  整流筒
３１  髪捕捉部
３２  髪受体
３２ａ  第１リブ
３２ｂ  第２リブ
３３  遮蔽体
３４  髪受凹部
３７  絶縁板
４４  係合爪
４５  連結溝
Ｐ  ボス空間
【図１】
2008079735.tif 000003
【図２】
2008079735.tif 000004
【図３】
2008079735.tif 000005
【図４】
2008079735.tif 000006
【図５】
2008079735.tif 000007
【図６】
2008079735.tif 000008
【図７】
2008079735.tif 000009